(57)【要約】【課題】  非接触ＩＣカードリーダー・ライターや非接触ＩＣカードを内蔵した携帯情報端末を充電しつつ、この携帯情報端末と、非接触ＩＣや他の携帯情報端末との間で、適正にデータの送受信を行う。【解決手段】  非接触ＩＣカード３を固定するスロット部１１と、ＩＣカード３とデータを送受する無線通信インターフェース及び通信のためのアンテナ２ｂを備えた携帯情報端末２を保持する端末保持部１２と、携帯情報端末２に対して充電用電源を供給する充電部１４とを備え、スロット部１１は、ＩＣカード３の受信面３ｃが、携帯情報端末２の受信面２１ａにほぼ平行となるようにＩＣカード３を固定する。【選択図】      図１
2006005512.tif 000002
【特許請求の範囲】
【請求項１】
データを記憶するとともに、無線通信インターフェースを通じた無線通信により該データの送受が可能なＩＣカードを固定するカード固定部と、
無線通信により前記ＩＣカードとデータを送受する無線通信インターフェース、及び該通信のためのアンテナを備えた携帯情報端末を保持する端末保持部と、
前記携帯情報端末に対して充電用電源を供給する充電部と
を備え、
前記カード固定部は、前記ＩＣカードの受信面が、前記携帯情報端末の前記アンテナが配置された面にほぼ平行となるように、該ＩＣカードを固定する
ことを特徴とする携帯情報端末の充電台。
【請求項２】
前記アンテナは、アンテナ線をループ状に形成してなるループアンテナであり、
前記カード固定部は、前記ループアンテナの中心が、前記ＩＣカードのアンテナの位置とほぼ一致するように、該ＩＣカードを固定する
ことを特徴とする請求項１に記載の携帯情報端末の充電台。
【請求項３】
前記カード固定部は、前記ＩＣカードの固定位置を変更する可動手段を有することを特徴とする請求項１に記載の携帯情報端末の充電台。
【請求項４】
前記端末保持部は、該携帯情報端末における該端末保持部に対する接触面が、該携帯情報端末の表示面及び操作面の反対側に位置するように、該携帯情報端末を保持することを特徴とする請求項１に記載の携帯情報端末の充電台。
【請求項５】
データを記憶するとともに、無線通信インターフェースにより該データの送受が可能なＩＣカードを内蔵した第１の携帯情報端末を保持する第１の端末保持部と、
データを記憶するとともに、無線通信インターフェースにより該データの送受が可能なＩＣカードを内蔵した第２の携帯情報端末を保持する第２の端末保持部と、
前記第１の携帯情報端末及び前記第２の携帯情報端末に対して充電用電源を供給する充電部と
を備え、
前記第１の端末保持部及び前記第２の端末保持部は、前記第１の携帯情報端末及び前記第２の携帯情報端末に内蔵された各ＩＣカードのアンテナが配置された面同士がほぼ平行となるように該第１の携帯情報端末及び該第２の携帯情報端末を固定する
ことを特徴とする携帯情報端末の充電台。
【請求項６】
前記第１の端末保持部及び前記第２の端末保持部は、連結部を介して結合及び分離が可能であることを特徴とする請求項５に記載の携帯情報端末の充電台。
【請求項７】
前記第１の端末保持部又は前記第２の端末保持部は、前記第１の携帯情報端末又は前記第２の携帯情報端末の保持位置を変更する可動手段を有することを特徴とする請求項５に記載の携帯情報端末の充電台。
【発明の詳細な説明】
【技術分野】
【０００１】
本発明は、携帯電話機やＰＤＡ（Personal Digital Assistance）等の携帯情報端末に対して充電を行う充電台に関する。
【背景技術】
【０００２】
従来より、パーソナルコンピュータ、非接触ＩＣカードリーダー・ライター及びＩＣカードという構成により、ネットワークに接続されたパーソナルコンピュータから、非接触ＩＣカードリーダー・ライターを介して、非接触ＩＣカードに対してデータの書き込みや読み出しを行うシステムが開発されている。このシステムによれば、非接触ＩＣカードリーダー・ライターにより、非接触ＩＣカードに対してデータの書き込みや読み出しを行い、パーソナルコンピュータからネットワークを介して、ＩＣカードに記憶された価値情報について電子決済を行うサービスを提供することが可能となる。
【０００３】
ところが、上述した技術においては、ネットワークに接続されたパーソナルコンピュータを使用するため、パーソナルコンピュータが設置され、且つネットワークに接続可能な環境に、使用場所が制限されるという問題があった。
【０００４】
これに対して、携帯電話の充電器に非接触ＩＣカードのリード・ライト機能を搭載するという技術が開発されている（例えば、特許文献１参照）。この特許文献１に開示された技術では、充電器に、ＩＣカードの価値情報を読み取るリーダ部と、携帯端末との間で価値情報を伝送する通信インターフェースとを設け、携帯端末の充電の際に充電器にＩＣカードが挿入されると、リーダ部によりＩＣカード内の価値情報を読み取り通信インターフェースを介し携帯端末に送り、携帯端末のメモリ等に記憶させる。
【特許文献１】特開平１１−１８１５８号公報
【発明の開示】
【発明が解決しようとする課題】
【０００５】
しかしながら、近年では、携帯情報端末自体に非接触ＩＣカードリーダー・ライターを内蔵させた形式や、携帯情報端末自体に非接触ＩＣカードを内蔵させる形式が開発されており、携帯情報端末から直接、非接触ＩＣカードや非接触ＩＣカード内蔵端末に対してデータの送受を行う場合が想定される。
【０００６】
上述した特許文献１に開示された技術では、充電器にＩＣカードに対するリーダ部と、携帯情報端末に対する通信インターフェースを並設するものであるため、上述した非接触ＩＣカードリーダー・ライター、又は非接触ＩＣカードを内蔵した形式には適応することができない。
【０００７】
特に、携帯情報端末では、小型化やデザイン性の要請から、内蔵された非接触ＩＣカードリーダー・ライターや非接触ＩＣカードの通信アンテナの配置箇所が制限されることから、上述した特許文献１に開示された技術のように、単に充電器のリーダ部に対してＩＣカードの位置合わせをする構成では、適切なデータの送受信ができない惧れがある。
【０００８】
本発明は、上記問題を解決すべくなされたものであり、非接触ＩＣカードリーダー・ライターや非接触ＩＣカードを内蔵した携帯情報端末を充電しつつ、この携帯情報端末と、非接触ＩＣや他の携帯情報端末との間で、適正にデータの送受信を行うことのできる携帯情報端末の充電台を提供することをその課題とする。
【課題を解決するための手段】
【０００９】
上記課題を解決するために、本発明は、データを記憶するとともに、無線通信インターフェースを通じた無線通信によりデータの送受が可能なＩＣカードを固定するカード固定部と、無線通信によりＩＣカードとデータを送受する無線通信インターフェース、及び通信のためのアンテナを備えた携帯情報端末を保持する端末保持部と、携帯情報端末に対して充電用電源を供給する充電部とを備え、前記カード固定部は、ＩＣカードの受信面が、携帯情報端末のアンテナが配置された面にほぼ平行となるようにＩＣカードを固定する。
【００１０】
上記発明において、アンテナは、アンテナ線をループ状に形成してなるループアンテナであり、カード固定部は、ループアンテナの中心が、ＩＣカードのアンテナの位置とほぼ一致するように、ＩＣカードを固定することが好ましい。
【００１１】
このような本発明によれば、ＩＣカードの固定機能と充電機能とを併せ持つため、例えば携帯情報端末の内蔵電池が消耗しているような場合でも、データ送受信時の通信環境及び電源の安定性を同時に確保することができる。また、携帯情報端末及びＩＣカードを充電器に固定するため、両者の位置合わせが確実となり、ユーザーが両手で持ったままリードライトの終了を待つという煩雑な操作が不要となる。この結果、本発明によれば、個々の携帯情報端末の形状に適応した位置合わせが可能となることから、ＩＣカードのリードライト機能のために特別な携帯情報端末の形状デザインや表面スペースの確保が不要となり、デザイン上の自由度を確保することができる。
【００１２】
上記発明において、カード固定部は、ＩＣカードの固定位置を変更する可動手段を有することが好ましい。この場合には、種々の形状やサイズのＩＣカードの位置合わせを行うことができ、複数種のＩＣカードに対応することができる。
【００１３】
上記発明において、端末保持部は、携帯情報端末における端末保持部に対する接触面が、携帯情報端末の表示面及び操作面の反対側に位置するように、携帯情報端末を保持することが好ましい。この場合には、携帯情報端末及びＩＣカードを固定した状態で、例えば通信ネットワークを通じての決済手続き等のための表示及び操作をしつつ、ＩＣカードのリードライトを実行することができる。
【００１４】
他の発明は、データを記憶するとともに、無線通信インターフェースによりデータの送受が可能なＩＣカードを内蔵した第１の携帯情報端末を保持する第１の端末保持部と、データを記憶するとともに、無線通信インターフェースによりデータの送受が可能なＩＣカードを内蔵した第２の携帯情報端末を保持する第２の端末保持部と、第１の携帯情報端末及び第２の携帯情報端末に対して充電用電源を供給する充電部とを備え、第１の端末保持部及び第２の端末保持部は、第１の携帯情報端末及び第２の携帯情報端末に内蔵された各ＩＣカードのアンテナが配置された面にほぼ平行となるように第１の携帯情報端末及び第２の携帯情報端末を固定する。
【００１５】
このような発明によれば、通信インターフェースを備えたＩＣカードを内蔵した携帯情報端末同士における、通信環境及び電源の安定性を同時に確保することができる。また、第１及び第２の携帯情報端末を充電器に固定するため、両者の位置合わせが確実となり、ユーザーが両手で持ったままリードライトの終了を待つという煩雑な操作が不要となる。
【００１６】
上記発明において、第１の端末保持部及び第２の端末保持部は、連結部を介して結合及び分離が可能であることが好ましい。この場合には、携帯情報端末同士のリードライトを実行するとき以外は、別個独立した充電器として利用できるため、装置の利便性を高めることができる。
【００１７】
上記発明において、第１の端末保持部又は第２の端末保持部は、第１の携帯情報端末又は第２の携帯情報端末の保持位置を変更する可動手段を有することが好ましい。この場合には、形状やサイズの異なる携帯情報端末同士の位置合わせを行うことができ、異なる機種同士のリードライトにも対応することができる。
【発明の効果】
【００１８】
以上説明したように本発明によれば、非接触ＩＣカードリーダー・ライターや非接触ＩＣカードを内蔵した携帯情報端末を充電しつつ、人手を介さずに、ＩＣカードと携帯端末を固定することができ、空間的に安定した通信状態を確保することができ、これらの携帯情報端末と、非接触ＩＣや他の携帯情報端末との間で、適正にデータの送受信を行うことができる。
【発明を実施するための最良の形態】
【００１９】
［第１実施形態］
（充電台の構成）
本発明の第１実施形態について図面を参照しながら説明する。図１は本実施形態に係る充電台１の全体構成を示す側面図であり、図２はその背面図であり、図３はその上面図である。
【００２０】
図１〜図３に示すように、本実施形態に係る充電台１は、非接触型ＩＣカード３を固定するスロット部１１と、携帯電話機２を保持する端末保持部１２と、基台部１３と、携帯電話機２に対して充電用電源を供給する充電部１４とを備えている。
【００２１】
本実施形態において、携帯電話機２は、本体部２１と蓋体部２２とが回転軸２３を介して連結され、蓋体部２２が本体部２１に対して平行位置を維持しつつ回転するいわゆるジャックナイフ型折り畳み携帯電話である。
【００２２】
本体部２１には、ＣＰＵや通信アンテナ等が内蔵され、その正面側表面にはボタンキー等の操作部（図示せず）が配置されている。この本体部２１には、無線通信により非接触型ＩＣカード３とデータを送受する無線通信インターフェースが内蔵されており、この無線通信インターフェースのアンテナ２ｂは、アンテナ線をループ状に形成してなるループアンテナであり、本体部２１の背面側に配置され、背面側の表面を非接触型ＩＣカード３に対する受信面２１ａとしている。一方、蓋体部２２は、正面側表面に、ＬＣＤ等のディスプレイである表示部２２ａ及びボタンキーやタッチパネル、ジョグダイヤル等の操作部２２ｂが配置されている。
【００２３】
非接触型ＩＣカード３は、内部にＩＣチップ３ａやメモリ装置（図示せず）を内蔵し、データの演算及び記憶が可能なカード型記憶媒体であり、通信インターフェース及び無線通信用のアンテナ３ｂによって、非接触により他の情報機器との間でデータの送受信を行うことができる。なお、本実施形態においてアンテナ３ｂは、アンテナ線をループ状に形成してなるループアンテナであり、ＩＣカード本体の正面側に配置され、正面側の表面を受信面３ｃとしている。
【００２４】
端末保持部１２は、携帯電話機２の本体部２１を背面から保持する部分であり、携帯電話機２が載置される底面１２ａと、携帯電話機２が載置された状態において本体部２１の頂部に引きかけられて把持するフック部１２ｂと、携帯電話機２が載置された状態において蓋体部２２の正面に引きかけられて把持するフック部１２ｃとから構成される。
【００２５】
本実施形態において、端末保持部１２は、携帯電話機２と端末保持部１２との接触面（本体部２１の背面）において、携帯電話機２の受信面２１ａとＩＣカード受信面３ｃとが対向するように構成されており、携帯電話機２の表示部２２ａ及び操作部２２ｂが、この接触面の反対側（蓋体部２２の正面）に位置するように、携帯電話機２を保持する。
【００２６】
スロット部１１は、非接触型ＩＣカード３を収納可能な容積を有する溝状の内部中空部であり、端末保持部１２の背面側に配置されている。このスロット部１１は、非接触型ＩＣカード３の受信面３ｃが、携帯電話機２のアンテナ２ｂが配置された受信面２１ｂにほぼ平行となるように非接触型ＩＣカード３を固定する。
【００２７】
このスロット部１１内には、非接触型ＩＣカード３の落下を防止するとともに、非接触型ＩＣカード３の固定位置を上下に変更する可動手段として、可動式ストッパー１５が設けられている。この可動式ストッパー１５は、図２（ａ）に示すように、スロット部１１内において上下にスライドするスライド部１５ｂと、このスロット部１１の外側面においてスライド部１５ｂに連結されるツマミ部１５ａとから構成されている。
【００２８】
そして、可動式ストッパー１５によれば、ツマミ部１５ａを上下に操作することによって、スロット部１１内でスライド部１５ｂを上下に移動させ、スロット部１１内における非接触型ＩＣカード３の位置決めを行うことができる。これにより、図３に示すように、携帯電話機２のアンテナ２ｂの中心ｃ１が、非接触型ＩＣカード３のアンテナ３ｂの中心ｃ２とほぼ一致するように、ＩＣカードを固定することができる。
【００２９】
また、スロット部１１には、その背面側に、上下方向にわたって開口されスロット部１１内に開通する開口部１１ａが設けられている。この開口部１１ａからユーザーが指などを挿通することにより、スロット部１１内に収納された非接触型ＩＣカード３を上方に押し上げるなどして、非接触型ＩＣカード３を容易にスロット部１１内から取り出すことができる。
【００３０】
前記基台部１３は、本実施形態では、上述した端末保持部１２及びスロット部１１を傾斜させて立設させる台であり、端末保持部１２及びスロット部１１と一体的に成形されている。
【００３１】
前記充電部１４は、基台部１３に設けられた電極１４ａ及び充電ケーブルコネクタ１４ｃと、基台部１３の外部に設けられた充電器１４ｅ及びＡＣコンセント１４ｆとを備えている。電極１４ａは、端末保持部１２の底面１２ａから上方に向けて突出されたスプリングであり、本体部２１の底面に設けられた充電用接点２ａに付勢される。この電極１４ａは、配線１４ｂにより充電ケーブルコネクタ１４ｃと接続され、充電ケーブルコネクタ１４ｃから供給される電源を携帯電話機２側に供給する。充電ケーブルコネクタ１４ｃは、充電ケーブル１４ｄが接続される接続端子であり、充電器１４ｅによって直流変換変換された電源を電極１４ａに供給する。
【００３２】
（充電台による作用効果）
このような第１実施形態に係る充電台１は、非接触型ＩＣカード３及び携帯電話機２の固定機能と、携帯電話機２の充電機能とを併せ持つため、例えば携帯電話機２の内蔵電池が消耗しているような場合でも、携帯電話機２と非接触型ＩＣカード３との間におけるデータ送受信時の通信環境及び電源の安定性を同時に確保することができる。
【００３３】
すなわち、携帯電話機２及び非接触型ＩＣカード３を充電台１に固定するため、両者の位置合わせが確実となり、ユーザーが両手で持ったままリードライトの終了を待つという煩雑な操作が不要となる。この結果、本実施形態によれば、個々の携帯電話機２の形状に適応した位置合わせが可能となることから、非接触型ＩＣカード３のリードライト機能のために、特別な携帯電話機２の形状デザインや表面スペースの確保が不要となり、デザイン上の自由度を確保することができる。
【００３４】
また、本実施形態係るスロット部１１は、非接触型ＩＣカード３の固定位置を変更する可動式ストッパー１５を有するため、種々の形状やサイズの非接触型ＩＣカード３の位置合わせを行うことができ、複数種の非接触型ＩＣカード３に対応することができる。
【００３５】
さらに、本実施形態に係る端末保持部１２は、携帯電話機２の表示部２２ａ及び操作部２２ｂが正面側に位置するように、携帯電話機２を保持するため、携帯電話機２及び非接触型ＩＣカード３を固定した状態で、例えば携帯電話機２の通信機能によって、通信ネットワークを通じての決済手続き等のための表示及び操作をしつつ、非接触型ＩＣカード３のリードライトを実行することができる。
【００３６】
（変更例）
なお、本発明は、上述した本実施形態に限定されるものではなく、以下のような変更を適宜加えることができる。
【００３７】
上記実施形態では、携帯情報端末として携帯電話機２を例に説明したが、例えばＰＤＡやモバイルコンピュータなど、非接触型ＩＣカードに対するリードライト機能、及び充電機能を備える携帯情報端末であれば、本発明を適用することが可能である。
【００３８】
また、上記実施形態では、携帯電話機の構成をいわゆるジャックナイフ型折り畳み形式としたが、例えば本体部と蓋体部とが折れ曲がる折り曲げ形式にも本発明を適用することができる。この場合、携帯電話機を充電台に保持させた状態において、表示部及び操作部が正面側に位置するように、例えば、携帯電話機を開いた状態で保持させてもよい。また、折り曲げた状態の蓋体部表面に表示部及び操作部が正面側に位置する形態であれば、上記実施形態同様に保持してもよい。
【００３９】
さらに、上記実施形態では、非接触型ＩＣカード３を固定するカード固定部としてスロット式としたが、例えば、爪のような形状の部材でカードの数点を固定するものであってもよく、クリップのような把持手段により固定するものであってもよい。
【００４０】
また、上記実施形態では、カード固定部を携帯情報端末の背面側に配置したが、内蔵アンテナの位置が正面側にある場合、カード固定部は充電台の正面側に配置してもよい。この場合、携帯情報端末を着脱する際にカード固定部が障害とならないように、カード固定部を折り畳み可能としたり、回転可能とすることが好ましい。
【００４１】
［第２実施形態］
（充電台の構成）
次いで、本発明の第２実施形態について説明する。図４（ａ）は、第２実施形態に係る充電台１０の構成を示す側面図である。なお、この第２実施形態では、上述した第１実施形態における非接触型ＩＣカード３の機能を内蔵した第１の携帯電話機２０１及び第２の携帯電話機２０２同士で、データの送受信を行う場合を前提とする。
【００４２】
図４（ａ）に示すように、本実施形態に係る充電台１０は、携帯電話機２０１及び２０２をそれぞれ保持する端末保持部１２１及び１２２と、基台部１７とを備えている。
【００４３】
本実施形態において、携帯電話機２０１及び２０２は、上記第１実施形態と同様に、それぞれ、本体部２１と蓋体部２２とが回転軸２３を介して連結され、蓋体部２２が本体部２１に対して平行位置を維持しつつ回転するいわゆるジャックナイフ型折り畳み携帯電話である。
【００４４】
本体部２１には、ＣＰＵや通信アンテナ等が内蔵され、その正面側表面にはボタンキーやジョグダイヤル等の操作部（図示せず）が配置されている。この本体部２１には、無線通信により他の携帯電話機に内蔵されたＩＣカード機能とデータを送受する無線通信インターフェースが内蔵されており、この無線通信インターフェースのアンテナ２ｂは、アンテナ線をループ状に形成してなるループアンテナであり、本体部２１の背面側に配置され、背面側の表面を受信面２１ａとしている。一方、蓋体部２２は、正面側表面に、ＬＥＣ等のディスプレイである表示部２２ａ及びボタンキーやタッチパネル等の操作部２２ｂが配置されている。
【００４５】
端末保持部１２１及び１２２は、携帯電話機２０１又は２０２の本体部２１を背面から保持する部分であり、それぞれ、携帯電話機２が載置される底面１２ａと、携帯電話機２が載置された状態において本体部２１の頂部に引きかけられて把持するフック部１２ｂと、携帯電話機２が載置された状態において蓋体部２２の正面に引きかけられて把持するフック部１２ｃとから構成される。
【００４６】
本実施形態において、端末保持部１２１及び１２２は、携帯電話機２０１及び２０２それぞれの受信面２１ａ，２１ａとが対向するように構成されており、各携帯電話機２０１及び２０２の表示部２２ａ及び操作部２２ｂが、各携帯電話機の正面側に位置するように、携帯電話機２０１及び２０２を保持する。
【００４７】
また、端末保持部１２１及び１２２は、各携帯電話機２０１，２０２の受信面２１ａ，２１ａが、相互にほぼ平行となるように各携帯電話機２０１，２０２の受信面２１ａ，２１ａを固定する。
【００４８】
この端末保持部１２１及び１２２の底部には、各携帯電話機２０１，２０２の固定位置を上下に変更する可動手段として、上下可動部１６１，１６２が設けられている。この上下可動部１６１，１６２は、基台部１７上における端末保持部１２１及び１２２それぞれの高さを調整する手段であり、例えばねじ機構により高さの調節を行う。そして、上下可動部１６１，１６２によれば、ねじ機構を操作することによって、端末保持部１２１及び１２２の高さ位置を変更し、携帯電話機２０１及び２０２の相対的な位置決めを行うことができる。これにより、携帯電話機２０１及び２０２の受信面２１ａ，２１ａの中心がほぼ一致させることができる。
【００４９】
前記基台部１７は、本実施形態では、上述した端末保持部１２１及び１２２を垂直に立設させる台であり、ここでは端末保持部１２１及び１２２と一体的に成形されている。
【００５０】
前記充電部１４は、上述した第１実施形態と同様に、基台部１７に設けられた電極１４ａ及び充電ケーブルコネクタ１４ｃと、基台部１７の外部に設けられた充電器及びＡＣコンセントとを備えている。電極１４ａは、端末保持部１２１及び１２２の各底面１２ａから、上下可動部１６１，１６２を貫通して、上方に向けて突出されたスプリングであり、各本体部２１の底面に設けられた充電用接点２ａに付勢される。これらの各電極１４ａ，１４ａは、配線１４ｂにより充電ケーブルコネクタ１４ｃと接続され、充電ケーブルコネクタ１４ｃから供給される電源をそれぞれ携帯電話機２０１及び２０２側に供給する。充電ケーブルコネクタ１４ｃは、充電ケーブル１４ｄが接続される接続端子であり、充電器によって直流変換変換された電源を各電極１４ａ，１４ａに供給する。
【００５１】
（充電台による作用効果）
このような第２実施形態に係る充電台１０は、携帯電話機２０１及び２０２の固定機能と、携帯電話機２０１及び２０２の充電機能とを併せ持つため、例えば携帯電話機２０１及び２０２の内蔵電池が消耗しているような場合でも、携帯電話機２０１及び２０２同士におけるデータ送受信時の通信環境及び電源の安定性を同時に確保することができる。
【００５２】
すなわち、携帯電話機２０１及び２０２を充電台１０に固定するため、両者の位置合わせが確実となり、ユーザーが両手で持ったままリードライトの終了を待つという煩雑な操作が不要となる。この結果、本実施形態によれば、個々の携帯電話機２０１及び２０２の形状に適応した位置合わせが可能となることから、内蔵されたＩＣカード機能同士の通信のために、特別な携帯電話機２０１及び２０２の形状デザインや表面スペースの確保が不要となり、デザイン上の自由度を確保することができる。
【００５３】
また、本実施形態係る端末保持部１２１及び１２２は、携帯電話機２０１及び２０２の相対的な位置を変更する上下可動部１６１，１６２を有するため、種々の形状やサイズの携帯電話機２０１及び２０２の位置合わせを行うことができ、複数種の携帯情報端末に対応することができる。
【００５４】
さらに、本実施形態に係る端末保持部１２１及び１２２は、携帯電話機２０１及び２０２の表示部２２ａ及び操作部２２ｂが正面側に位置するように、携帯電話機２０１を保持するため、携帯電話機２０１及び２０２を固定した状態で、例えば携帯電話機２０１及び２０２の通信機能によって、通信ネットワークを通じての決済手続き等のための表示及び操作をしつつ、携帯電話機２０１及び２０２同士のリードライトを実行することができる。
【００５５】
（変更例）
なお、本発明は、上述した本実施形態に限定されるものではなく、以下のような変更を適宜加えることができる。
【００５６】
上記第２実施形態では、基台部１７を端末保持部１２１及び１２２と一体的に成形したが、例えば、図４（ｂ）に示すように、携帯電話機２０１及び２０２毎に独立した基台部１７１，１７２としてもよい。この場合には、各基台部１７１，１７２のそれぞれに、相互に嵌合する連結部１８１，１８２を設け、これら連結部１８１，１８２を介して着脱可能としてもよい。このような基台部１７１，１７２によれば、携帯電話機２０１，２０２同士のリードライトを実行するとき以外は、別個独立した充電器として利用できるため、装置の利便性を高めることができる。
【００５７】
上記実施形態では、携帯情報端末として携帯電話機２０１及び２０２を例に説明したが、例えばＰＤＡやモバイルコンピュータなど、非接触型ＩＣカードに対するリードライト機能、及び充電機能を備える携帯情報端末であれば、本発明を適用することが可能である。
【００５８】
また、上記実施形態では、携帯電話機の構成をいわゆるジャックナイフ型折り畳み形式としたが、例えば本体部と蓋体部とが折れ曲がる折り曲げ形式にも本発明を適用することができる。この場合、携帯電話機を充電台に保持させた状態において、表示部及び操作部が正面側に位置するように、例えば、携帯電話機を開いた状態で保持させてもよい。また、折り曲げた状態の蓋体部表面に表示部及び操作部が正面側に位置する形態であれば、上記実施形態同様に保持してもよい。
【図面の簡単な説明】
【００５９】
【図１】第１実施形態に係る充電台の全体構成を示す側面図である。
【図２】第１実施形態に係る充電台の背面図である。
【図３】第１実施形態に係る充電台の上面図である。
【図４】（ａ）は、第２実施形態に係る充電台の構成を示す側面図であり、（ｂ）は、第２実施形態の変更例に係る充電台の側面図である。
【符号の説明】
【００６０】
ｃ１，ｃ２…アンテナ中心、１，１０…充電台、２，２０１，２０２…携帯電話機、２ａ…充電用接点、２ｂ…アンテナ（携帯電話機）、３…非接触型ＩＣカード、３ａ…ＩＣチップ、３ｂ…アンテナ（非接触型ＩＣカード）、３ｃ…受信面（非接触型ＩＣカード）、１１…スロット部、１１ａ…開口部、１２，１２１，１２２…端末保持部、１２ａ…底面、１２ｂ，１２ｃ…フック部、１３，１７，１７１，１７２…基台部、１４…充電部、１４ａ…電極、１４ｂ…配線、１４ｃ…充電ケーブルコネクタ、１４ｄ…充電ケーブル、１４ｅ…充電器、１４ｆ…ＡＣコンセント、１５…可動式ストッパー、１５ａ…ツマミ部、１５ｂ…スライド部、２１…本体部、２１ａ，２１ａ…受信面（携帯電話機）、２２…蓋体部、２２ａ…表示部、２２ｂ…操作部、２３…回転軸、１６１，１６２…上下可動部、１８１，１８２…連結部
【図１】
2006005512.tif 000003
【図２】
2006005512.tif 000004
【図３】
2006005512.tif 000005
【図４】
2006005512.tif 000006